(57)【要約】      （修正有）【課題】自分の肌の色や髪の色など、或は、自分が好む同色相系の色が、ブルーアンダートーンかイエローアンダートーンのいずれかを容易に判別することができるチェックシートを提供する。【解決手段】シート１上に、横軸方向に少なくとも４つの色相のカラー表示欄を設け、縦軸方向に少なくとも３つ、好ましくは５つの質問項目欄２ａ〜２ｅを設ける一方、各質問項目欄には、少なくとも髪の色，目（瞳）の色，肌の色，頬の色，爪の下の指の色を質問項目として夫々の欄に記載し、カラー表示欄２１Ａ〜２５Ｄは、その欄３を左右で２分すると共に一方の側にブルーアンダートーンの同系色相のカラーを、他方の側にイエローアンダートーンの同系色相のカラーを、前記質問項目の答となるカラーとしてそれぞれ表示する。【選択図】図１
0003138505.tif 000002
【実用新案登録請求の範囲】
【請求項１】
紙やプラスチックなどのシート上に、横軸方向に少なくとも４つの色相のカラー表示欄を設け、縦軸方向に少なくとも３つ、好ましくは５つの質問項目欄を設ける一方、各質問項目欄には、少なくとも髪の色，目（瞳）の色，肌の色，頬の色，爪の下の指の色を質問項目として夫々の欄に記載し、前記カラー表示欄は、その欄を左右で２分すると共に一方の側にブルーアンダートーンの同系色相のカラーを、他方の側にイエローアンダートーンの同系色相のカラーを、前記質問項目の答となるカラーとしてそれぞれ表示したことにより質問シートを形成し、
前記シートと同様のシート上に、縦軸方向に前記質問項目と同数の回答項目欄を設けると共に、横軸方向に前記各質問項目に答えて選択したカラーを示す記号やマークなどの記入欄を設けて回答シートを形成したことを特徴とするカラーアンダートーンのチェックのためのパーソナルカラー診断チェックシート。
【請求項２】
複数の質問項目を、髪の色，目の色，肌の色，頬の色，爪の下の指の色の中から少なくとも３項目を選択した請求項１のカラーアンダートーンのチェックのためのパーソナルカラー診断チェックシート。
【請求項３】
質問項目を、上記のような体の各部位の色にせず、複数の、少なくとも４色の異なる色相系のカラーにした請求項１のカラーアンダートーンのチェックのためのパーソナルカラー診断チェックシート。
【請求項４】
質問項目の回答となる同系色相のカラーは、ブルーアンダートーンとイエローアンダートーンの各カラーにおいて、それぞれに少なくとも２色のカラーを記載した請求項２又は３のカラーアンダートーンのチェックのためのパーソナルカラー診断チェックシート。
【考案の詳細な説明】
【技術分野】
【０００１】
本考案は、各個人が複数のカラー群の中から自分に合う色を選択するため自分の肌，目（瞳），髪などの色を選択したり、自分の好みのカラーを同系色相の中で選択することにより、本人に合う色がブルーアンダートーンのカラー群の中にあるのか、或は、イエローアンダートーンのカラー群の中にあるのかを判別するためのカラーアンダートーンのパーソナルカラー診断チェックチェックシートに関する。
【背景技術】
【０００２】
例えば、人が着用する服，帽子や靴など、或は、身に着けるマフラーやスカーブなど、衣服や身回り品或は身飾品には、すべてカラー（色）が付いている。ここで、カラーには白，黒，金属色などの無彩色も含むものとする。
【０００３】
そこで、カラーの付いた衣服や身回り品など着用する本人に似合う否かは、本人の好みなどによる主観に依り選択したカラーよりも、当該本人の肌の色や髪の色などとの関係で客観的に決まるものが多い。
【０００４】
このためには本人の肌の色や髪の色などが、どのような色（カラー）乃至はそのカラーに近いかをきちっと把握する必要がある。
【０００５】
しかし乍ら、自分の肌の色，髪の色，目の色，頬の色など、自分の身体の部分に関するカラーが、何系の色（カラー）なのかは、すぐに判断できるものではない。
【０００６】
一方、衣服や身回り品などが備えているカラーには、全く様々なカラーがあり、その中のどのような色、或は、どのような傾向のカラーが自分に似合うかは、実際問題として一概に決めたりすることができない。
【０００７】
使用する色（カラー）の調和、或は、調和のある色の組合せは、場面や状況によって様々であるが、概ね同系色での組合せか、又は、反対色での組合せになることが、経験的に知られている。
しかし、本考案の考案者は、永年、カラー研究に携って来たが、同系色や反対色であってもそのカラーがブルーアンダートーンか、或は、イエローアンダートーンかによって、組合せの調和に違いがあることを知得した。
【０００８】
すなわち、色相環状に各色相を黄，黄緑，緑，青緑，緑青，青，青紫，紫，赤紫，赤，赤橙，黄橙と同心状で多重環状に並べてみたとき、多重環状に並んだすべてのカラーは、その色味度において青味を多く感じるブルーアンダートーンと、黄味を多く感じさせるイエローアンダートーンの２群に分けられることを知得した。
【考案の開示】
【考案が解決しようとする課題】
【０００９】
そこで本考案の考案者は、自分の肌の色や髪の色など、或は、自分が好む同色相系の中の色が、ブルーアンダートーンかイエローアンダートーンのいずれかを判別することができれば、パーソナルカラー診断によって調和のとれた色の選択や色の組合せ（以下、カラー・アンダートーン・システム[CUS]ともいう）を誰もが容易に行うことができる点に着眼し、その判別を容易に行うためのチェックシート（以下、パーソナルカラー診断チェックシートという）を提供することを課題として本考案を完成した。
【課題を解決するための手段】
【００１０】
上記課題を解決することを目的としてなされた本考案パーソナルカラー診断チェックシートの構成は、紙やプラスチックなどのシート上に、横軸方向に少なくとも４つの色相のカラー表示欄を設け、縦軸方向に少なくとも３つ、好ましくは５つの質問項目欄を設ける一方、各質問項目欄には、少なくとも髪の色，目（瞳）の色，肌の色，頬の色，爪の下の指の色を質問項目として夫々の欄に記載し、前記カラー表示欄は、その欄を左右で２分すると共に一方の側にブルーアンダートーンの同系色相のカラーを、他方の側にイエローアンダートーンの同系色相のカラーを、前記質問項目の答となるカラーとしてそれぞれ表示したことにより質問シートを形成し、
前記シートと同様のシート上に、縦軸方向に前記質問項目と同数の回答項目欄を設けると共に、横軸方向に前記各質問項目に答えて選択したカラーを示す記号やマークなどの記入欄を設けて回答シートを形成したことを特徴とするものである。
【００１１】
本考案パーソナルカラー診断チェックシートでは、上記における複数の質問項目を、髪の色，目の色，肌の色，頬の色，爪の下の指の色の中から少なくとも３項目を選択する。また、前記項目以外の体の部位の色に対する質問項目であっても構わない。
【００１２】
本考案パーソナルカラー診断チェックシートでは、質問項目を、上記のような体の各部位の色にせず、複数の、少なくとも４色の異なる色相系のカラーにすることがある。例えばレッド系，グリーン系，イエロー系，ブルー系の如くである。これら以外にピンク系，グレー系，ブラウン系，パープル系から選んで質問項目とすることもある。
【００１３】
そして、上記質問項目は、上記の各カラー系において、チェックを受ける者の好みのカラーはどれかを問うものであるから、各質問項目欄に対し横軸方向に展開して記載される当該質問項目の回答となる同系色相のカラーは、ブルーアンダートーンとイエローアンダートーンにおいて、それぞれに少なくとも２色のカラーが記載されることとなる。
【考案の効果】
【００１４】
本考案は、紙やプラスチックなどのシート上に、横軸方向に少なくとも４つの色相のカラー表示欄を設け、縦軸方向に少なくとも３つ、好ましくは５つの質問項目欄を設ける一方、各質問項目欄には、少なくとも髪の色，目（瞳）の色，肌の色，頬の色，爪の色を質問項目として夫々の欄に記載し、前記カラー表示欄は、その欄を左右で２分すると共に一方の側にブルーアンダートーンの同系色相のカラー、他方の側にイエローアンダートーンの同系色相のカラーであって、前記質問項目の答となるカラーをそれぞれ表示することにより質問シートを形成し、
前記シートと同様のシート上に、縦軸方向に前記質問項目と同数の回答項目欄を設けると共に、横軸方向に前記各質問項目に答えて選択したカラーを示す記号などの記入欄を設けて回答シートを形成し、
カラーアンダートーンのチェックシートとしたので、自分の身体に合った色、或は、好みの色が、ブルーアンダートーンであるのか、イエローアンダートーンであるのかを、容易に自己判別することができる。
【考案を実施するための最良の形態】
【００１５】
次に本考案パーソナルカラー診断チェックシートの実施形態の例について説明する。
図１は、本考案パーソナルカラー診断チェックシートの一例であり、図１のチェックシートにより自分の体の各部位のカラーがどのような色（カラー）かを回答することによって、自分の身体の各部が、ブルーアンダートーン系なのかイエローアンダートーン系なのかを、判別することができる本考案チェックシートの第一例の平面図、図２は、基本的な色相のカラーにおいて、自分が好むカラーは、同系色相の中で、ブルーアンダートーンか、或は、イエローアンダートーンかを判別することができる本考案チェックシートの第二例の平面図である。
【００１６】
図１において、１は上質紙やプラスチックシートなどにより形成した縦長矩形のチェックシート用の台紙、２は前記台紙１の上半部に描いた区画線により形成した質問欄の枠で、一例（図では左側）の縦軸方向に、５つの区画を質問項目欄2a〜2eに形成する一方、横軸方向に、前記の各質問項目欄2a〜2eの横にそれぞれに一列に並ぶ、回答事項となる上下方向に４段のカラー表示欄21A〜21D，22A〜22D，23A〜23D，24A〜24D，25A〜25Dを形成した。なお、図１の例では３段目のカラー表示欄23A〜23Dは上，下で２分されてカラー表示欄23A´〜23D´を付属している。
【００１７】
各質問項目欄2a〜2eには、上から順に質問項目として、「髪の色」，「目の色」，「肌の色」，「頬の色」，「爪の下の指の色」についての質問内容が記載されている。
【００１８】
一方、４段の各カラー表示欄21A〜21D・・・・25A〜25Dには、各欄の横方向に、例えば「髪の色」であれば、「ダークローズブラウン」，「ブラック」，「ライトブラウン」，「ダークブラウン」といった具合に、その身体の部位に関する同系色相のカラーが印刷等により記載されている。
【００１９】
因みに、上記の各カラー表示欄21A〜25Dに表示されるカラーは、一例として次の通りである。
21A    ダークローズブラウン
21B    ブラック
21C    ライトブラウン
21D    ダークブラウン
22A    ダークローズブラン
22B    ブラック
22C    ライトブラウン
22D    ダークブラウン
23A    ローズベージュ
23B    ブルーベージュ
23C    イエローベージュ
23D    ゴールドベージュ
23A´  ソフトブラウン
23B´  ブラウン
23C´  ウォームベージュ
23D´  ウォームブラウン
24A    パステルピンク
24B    ローズピンク
24C    ウォームピンク
24D    ダークオレンジ
25A    ローズレッド
25B    ワインレッド
25C    ピーチピンク
25D    ディープオレンジレッド
【００２０】
上記により質問事項欄とカラー表示欄の具体例の一つを形成するが、本考案パーソナルカラー診断チェックシートでは、上記台紙１の質問欄の枠２の下方空間に、回答欄の枠３が形成されている。
【００２１】
回答欄の枠３の内側には、上記の質問欄の枠２の各区画に対応した区画数，区画態様において、回答区画が形成されている。
【００２２】
回答区画には、枠３の左側の上下方向に、５つの質問項目欄に対応した５つの回答項目欄Q1〜Q5が形成され、各段の回答項目欄Q1〜Q5には、夫々に、横方向に連なってカラー表示欄と同数のチェック記入欄（回答記入欄）31A〜31D・・・・35A〜35D（但し、区画33A〜33Dは２分されて小区画33A´〜33D´を付属している）が形成されている。
【００２３】
本考案において、上記の質問欄の枠２と回答欄の枠３とは、同一の台紙１の上に形成したが、両枠２，３をそれぞれ別の台紙に形成してもよい。また、上記枠２，３と各欄の表示内容を、フルカラーの液晶画面上に区画してもよい。この場合、回答欄の枠３とその表示内容が表示される液晶画面は、回答記入欄にチェックなどの記入が電子的に行えるものである。
【００２４】
上記のように形成された本考案チェックシートによる自分の身体の部位の色を選択回答することにより、本人の身体の各部位に感じられるカラー（色）が、ブルーアンダートーン系なのか、或は、イエローアンダートーン系なのかを、容易に知ることができる。
【００２５】
自分の身体の各部位の色によって、当該本人の色味がブルーアンダートーン系なのか、或は、イエローアンダートーン系なのかを知得すると、自分に合うと思われる色相のカラーを選択することの基準の一つとして利用することができるので、日常のカラー選択を容易にする。
【００２６】
上記例は、自分の身体の部位の色による本人の色味がブルーアンダートーン系かイエローアンダートーン系かを判別するためのカラーアンダートーンをチェックするパーソナルカラー診断チェックシートであったが、本考案のシーズンカラーチェックシートでは、自分の好みの色（カラー）が、ブルーアンダートーン系のＡ欄のパステルサマーか、Ｂ欄のブリリアントウィンターか、あるいはイエローアンダートーン系のＣ欄のブライトスプリングか、Ｄ欄のディープオータムかを容易に判別することができる。以下、この点について図２の本考案パーソナルカラー診断チェックシートの例により説明する。
【００２７】
図２の例では、基本的カラーであるレッド系，グリーン系，イエロー系，ブルー系などチェックを受ける本人の身体の部位の色が総体的にブルーアンダートーン系かイエローアンダートーン系かを判別した後、自分のアンダートーンの中の各色相系のカラーを、カラー表示欄に示されているカラーから選択し、その選択結果を回答欄３の回答区画内にチェックをし、チェック結果の集計がブルーアンダートーン系のＡ欄のパステルサマーか、Ｂ欄のブリリアントウィンターのカラーが多いか、或は、イエローアンダートーン系のＣ欄のブライトスプリングか、Ｄ欄のディープオータムの色が多いかによって、当該本人のシーズンカラーがブルーアンダートーン系のＡ欄かＢ欄のカラーか、或は、イエローアンダートーン系のＣ欄かＤ欄のカラーかを判定する。なお、図２において、図１と同一符号は同一部材，同一部位を示す。図２において、2f，2gは図１の例に比べて増えた質問事項の欄、26A〜26D，27A〜27Dは同じく図１の例に比べて増えた回答区画の欄、Q6，Q7は同様に増えた回答項目の欄、36A〜36D，37A〜37Dも、同様に増えたチェック欄である。
【産業上の利用可能性】
【００２８】
本考案は以上の通りであって、紙やプラスチックなどのシートに、横軸方向に少なくとも４つの色相のカラー表示欄を設け、縦軸方向に少なくとも３つ、好ましくは５つの質問項目を設ける一方、質問項目欄には、髪の色，目（瞳）の色，肌の色，頬の色，爪の下の指の色を質問項目として記載し、前記カラー表示欄は、左右で２分し一方の側にブルーアンダートーンの同色相のカラー、他方の側にイエローアンダートーンの同色相のカラーであって、前記質問項目の答となるカラーをそれぞれ表示して質問シートを形成し、回答シートを、前記シートと同様のシート上に、縦軸方向に前記質問項目と同数の回答項目欄を設けると共に、横軸方向に前記質問項目に答えて選択したカラーを示す記号の記入欄を設けて形成することによりカラーチェックシートを構成したので、自分の色味がブルーアンダートーンか、或は、イエローアンダートーンか、また、そのアンダートーンに基づく自分のシーズンカラーがブルーアンダートンのパステルサマーかブリリアントウィンターか、或は、イエローアンダートーンのブライトスプリングかディープオータムかを容易に知得することができる。
従って、日常生活上における様々な場面（季節，状況などのT．P．O．）でのカラーの選択、或は、カラーの組合せを調和のとれ易いカラーで選択することができる。
【図面の簡単な説明】
【００２９】
【図１】本考案パーソナルカラー診断チェックシートの第一例の平面図。
【図２】自分のアンダートーンの中で、ブルーアンダートーンの中のパステルサマーかブリリアントウィンターか、或は、イエローアンダートーンの中のブライトスプリングかディープオータムなのかを判別することができる本考案パーソナルカラー診断チェックシートの第二例の平面図。
【符号の説明】
【００３０】
１          パーソナルカラー診断チェックシート用の台紙
２          質問欄の枠
３          回答欄の枠
【図１】
0003138505.tif 000003
【図２】
0003138505.tif 000004